(57)【特許請求の範囲】
【請求項１】
用紙搬送路の設置部よりも上部に多数のキーを有する操作部が設けられた機器本体に、前記用紙搬送路に連続し、かつ一端部が回動可能に設けられたトレイを、用紙搬送方向に互いに回動可能に少なくとも２つに分割し、それらのトレイを折り曲げた状態で機器本体における側部から前記操作部を覆うようにして保持することが可能なトレイ装置であって、
前記機器本体の上部に操作面が傾斜して前記操作部を設け、前記トレイの１つに係合突起を設け、前記操作部に突出しているキートップに前記トレイの係合突起を係止させ、折り曲げた状態のトレイ全体を機器本体に保持したことを特徴とするトレイ装置。
【請求項２】
前記トレイの係合突起を、前記トレイの回動支点から離れたトレイの端側に設けたことを特徴とする請求項１記載のトレイ装置。
【請求項３】
前記トレイの係合突起の少なくとも両側に、該係合突起より僅かに高い用紙案内用リブを設け、該用紙案内用リブを、前記操作部のキーに当接しない位置に設置したことを特徴とする請求項１または２記載のトレイ装置。
【請求項４】
前記トレイの係合突起の少なくとも両側に、該係合突起より僅かに高い用紙案内用リブを設け、該用紙案内用リブを、前記操作部のキーに当接しない形状に形成したことを特徴とする請求項１または２記載のトレイ装置。
【請求項５】
前記操作部の操作面の傾斜より、前記キートップに係止する前記係合突起が設けられたトレイにおける折り曲げたときの面の傾斜状態の方が水平に近く、かつ前記係合突起を前記用紙案内用リブよりトレイ先端側に設けたことを特徴とする請求項３または４記載のトレイ装置。
【請求項６】
前記トレイを透明材によって形成したことを特徴とする請求項１〜５のいずれか１項記載のトレイ装置。
【請求項７】
動作状態あるいは設定状態などを表示する状態表示部が備えられた前記操作部における前記状態表示部の上方のトレイに透孔を設けたことを特徴とする請求項１〜６のいずれか１項記載のトレイ装置。
【発明の詳細な説明】
【０００１】
【発明の属する技術分野】
本発明は、ファクシミリ装置，複写機，プリンタなどの用紙を用いて画像形成する機器に搭載され、特に機器本体から排紙される用紙を受けるトレイ装置に関するものである。
【０００２】
【従来の技術】
ファクシミリ装置などの事務機器において用紙搬送路が内蔵されている構成のものでは、処理後の用紙を外部に排紙する際に受け止めるため、通常、トレイが機器本体の側部に突出するようにして設置されている。
【０００３】
前記トレイは使用される用紙に応じて大型のサイズのものを設置すれば、安定して排紙された用紙を受けることができるが、トレイのサイズ分、機器の設置スペースを大きく取る必要が生じて好ましくない。
【０００４】
そこで、トレイを使用しないときには、トレイを機器本体側に倒すようにしたり、機器本体に収納するようにした構成などが提案されている（実開平５−６４１５９号公報，特開平５−２７８９２１号公報，特開平７−２６７４７０号公報，特開平７−２６７４７１号公報参照）。
【０００５】
【発明が解決しようとする課題】
一般的な事務機器に設置されるトレイ装置としては、トレイが、使用するときに用紙を受ける面積が大きくなり、使用していないときに簡潔な収納状態にすることができることが望ましい。
【０００６】
そこで、トレイを複数枚に分割し、互いに回動可能な状態で連結して、使用していないときにはトレイを折り畳んだ状態で機器本体に収納し、使用するときにはトレイ全体を広げるように展開する構成にすることが考えられる。
【０００７】
しかし、トレイが設置される機器の機能に干渉せずに、トレイを折り畳んだ収納状態に確実に保持するためには構造が複雑になり、簡素化された構造のものが要求されている。
【０００８】
本発明の目的は、前記従来の課題を解決し、簡単な構成で、使用しないときのトレイ収納時に機器における操作部に影響を与えないようにし、かつトレイを機器本体に確実に保持することができるようにしたトレイ装置を提供することにある。
【０００９】
【課題を解決するための手段】
前記目的を達成するため、請求項１に係る本発明は、用紙搬送路の設置部よりも上部に多数のキーを有する操作部が設けられた機器本体に、前記用紙搬送路に連続し、かつ一端部が回動可能に設けられたトレイを、用紙搬送方向に互いに回動可能に少なくとも２つに分割し、それらのトレイを折り曲げた状態で機器本体における側部から前記操作部を覆うようにして保持することが可能なトレイ装置であって、前記機器本体の上部に操作面が傾斜して前記操作部を設け、前記トレイの１つに係合突起を設け、前記操作部に突出しているキートップに前記トレイの係合突起を係止させ、折り曲げた状態のトレイ全体を機器本体に保持したことを特徴とし、この構成によって、操作者が操作部を見やすいように操作部を機器本体に傾斜して設けて操作性を向上させた機器においても、トレイをキートップに係止することによって、トレイが機器本体の側部から操作部に沿って覆うようにトレイを折り曲げた簡潔な状態にして保持することができる。
【００１０】
請求項２記載の本発明は、請求項１記載のトレイ装置において、トレイの係合突起を、トレイの回動支点から離れたトレイの端側に設けたことを特徴とし、この構成によって、キートップに係止する係合突起をトレイの回動支点から遠くに設けたことによって、キートップに加わる荷重を極力少なくすることができ、キートップを押し難くすることができる。
【００１１】
請求項３記載の本発明は、請求項１または２記載のトレイ装置において、トレイの係合突起の少なくとも両側に、該係合突起より僅かに高い用紙案内用リブを設け、該用紙案内用リブを、前記操作部のキーに当接しない位置に設置したことを特徴とし、この構成によって、係合突起を形成しても用紙案内用リブによる用紙の搬送案内が良好に行われ、しかも、折り曲げた状態のトレイが操作部のキーを押圧して生じる誤操作を防ぐことができる。
【００１２】
請求項４記載の本発明は、請求項１または２記載のトレイ装置において、トレイの係合突起の少なくとも両側に、該係合突起より僅かに高い用紙案内用リブを設け、該用紙案内用リブを、前記操作部のキーに当接しない形状に形成したことを特徴とし、この構成によって、係合突起を形成しても用紙案内用リブによる用紙の搬送案内が良好に行われ、しかも、折り曲げた状態のトレイが操作部のキーを押圧して生じる誤操作を防ぐことができる。
【００１３】
請求項５記載の本発明は、請求項３または４記載のトレイ装置において、操作部の操作面の傾斜より、キートップに係止する係合突起が設けられたトレイにおける折り曲げたときの面の傾斜状態の方が水平に近く、かつ係合突起を用紙案内用リブよりトレイ先端側に設けたことを特徴とし、この構成によって、係合突起が用紙案内用リブよりも低くても、係合突起をキートップに確実に係止させることができる。
【００１４】
請求項６記載の本発明は、請求項１〜５のいずれか１項記載のトレイ装置において、トレイを透明材によって形成したことを特徴とし、この構成によって、トレイによって覆われていても操作部の状態を視認することができる。
【００１５】
請求項７記載の本発明は、請求項１〜６のいずれか１項記載のトレイ装置において、動作状態あるいは設定状態などを表示する状態表示部が備えられた操作部における前記状態表示部の上方のトレイに透孔を設けたことを特徴とし、この構成によって、操作部における点灯装置などからなる表示部を見やすくすることができる。
【００１６】
【発明の実施の形態】
以下、本発明の好適な実施形態について図面を参照しながら説明する。
【００１７】
図１は本発明の第１実施形態を説明するためのファクシミリ装置の要部を断面した側面図、図２は図１のファクシミリ装置の平面図であり、１は内部に用紙が用紙収納部２から画像形成部３を経て排紙される用紙搬送路４を具備しているファクシミリ装置本体、５は用紙搬送路４の用紙排出口４ａから連続するように設置された排紙トレイ、６は、用紙搬送路４より上部の装置本体１に操作面６ａが傾斜するように設置された操作部である。
【００１８】
排紙トレイ５は、全体として排紙方向Ａに対して複数に分割された構造になっており、本例では第１トレイ７と第２トレイ８との２分割状態であって、第１トレイ７と第２トレイ８とが互いに回動可能に軸部９において連結しており、装置本体１側の第１トレイ７の端部が用紙搬送路４の用紙排出口４ａの下側に回動可能に軸部１０において軸支されている。
【００１９】
第１トレイ７と第２トレイ８における装置本体１側が用紙受け面７ａ，８ａであって、第２トレイ８における用紙受け面８ａには、図２に示すように、排紙される用紙の排紙ガイドを行う複数本（本例では３本）の用紙案内用リブ１１ａ，１１ｂ，１１ｃが設けられており、用紙案内用リブ１１ａ，１１ｂ，１１ｃとして右側の短い用紙案内用リブ１１ａと２本の長い用紙案内用リブ１１ｂ，１１ｃとが形成されている。長い用紙案内用リブ１１ｂ，１１ｃは、図１に示すように、第１トレイ７の方向に向かって徐々に突出量が少なくなるように傾斜した山形状をしている。さらに、第１トレイ７の先端の短い用紙案内用リブ１１ａと長い用紙案内用リブ１１ｂとの間には、これらの両リブ１１ａ，１１ｂよりも僅かに低い山形状の係合突起１２が突設されている。
【００２０】
図２において、装置本体１の上部に設けられた操作部６の操作面６ａには、動作スタートキー，各種設定用キー，テンキーなどからなるキー群１３、および装置の動作状態あるいは設定モードなどを表示するＬＣＤなどからなる表示部１４が設けられている。
【００２１】
図１，図２は排紙トレイ５の使用状態を示しており、第１トレイ７と第２トレイ８とが展開状態にあって広がっており、装置本体１の用紙排出口４ａから排出される用紙を受けることができるようになっている。用紙排出口４ａから装置本体１内部の搬送手段によって外部へ排出される用紙は、用紙案内用リブ１１ａ，１１ｂ，１１ｃによって幅を規制されながら第１トレイ７から第２トレイ８へと送られる。このとき、用紙案内用リブ１１ａ，１１ｂの高さが係合突起１２の高さよりも高いため、排出される用紙が係合突起１２に当接して排紙が阻害されるようなことはない。
【００２２】
図３は第１実施形態における前記排紙トレイの収納状態を示す要部を断面した側面図、図４は図３に示した収納状態における平面図であり、排紙トレイ５を使用しないときには、第１トレイ７と第２トレイ８とを、用紙排出口４ａから操作部６までの装置本体１の側面部を覆うようにし、軸部９と軸部１０を中心にして装置本体１側に回動させ、さらに第２トレイ８の係合突起１２を操作部６のキー群１３の内の１つのキートップ（例えばキートップ１３ａ）に係止させる。この係止によって排紙トレイ５が装置本体１に対して収納状態に保持される。
【００２３】
キートップ１３ａとの係止を確実にするため、係合突起１２におけるキートップ１３ａと係合する部分に凹部１２ａが形成されている。
【００２４】
また、排紙トレイ５の収納状態において、用紙案内用リブ１１ａ，１１ｂ，１１ｃ、および係合突起１２がキー群１３の各キートップに接触しないようにしてある。すなわち、用紙案内用リブ１１ａ，１１ｂ，１１ｃの最も突出した部分が、キートップとの当接する位置を避けて操作部６の操作面６ａ（図２における傾斜線にて示した位置ａ，ｃ，ｄ）に当接し、さらに、係合突起１２の突出部分がキートップ１３ａ以外のキートップとの当接する位置を避けた位置（図２における傾斜線にて示した位置ｂ）に配されるようになっている。また、長い用紙案内用リブ１１ｂ，１１ｃにおける操作面６ａ側は、第１トレイ７の方向に向かって徐々に突出量が少なくなるように傾斜した山形状であるため、最も突出した部分以外はキートップに接触しない。
【００２５】
なお、本実施形態において、第２トレイ８の係合突起１２は、図５にも示すように、回動支点である軸部９から遠い第２トレイ８の先端側に設けられている。このようにすることによって、係合突起１２′を軸部９の近くに設けた場合（図５の２点鎖線にて示す）の係合突起１２′におけるキートップ１３ａに加わる荷重Ｆｂに比べて、軸部９から遠い位置に係合突起１２を設けた場合のキートップ１３ａに加わる荷重Ｆａ（Ｆａ＜Ｆｂ）を小さくすることができる。
【００２６】
このように、第１実施形態によれば、操作者が使用時に操作部６を見やすく、使い勝手を良くするように、操作部６を装置本体（機器本体）１に対して傾斜させるようにして設置しても、排紙トレイ５における第２トレイ８の係合突起１２をキートップ１３ａに係止することによって、排紙トレイ５が装置本体１の側部から操作部６に沿って覆うように、かつ排紙トレイ５を折り曲げた簡潔な状態にして保持することができ、しかも係合突起１２を形成しても用紙案内用リブ１１ａ，１１ｂ，１１ｃによる用紙の搬送案内に支障を与えることがない。
【００２７】
図６は本発明の第２実施形態を説明するための要部を示す側面図であり、第２実施形態では操作部６の装置本体１に対する傾斜角θを大きくしたものであって、このようにすることによって、係合突起１２を用紙案内用リブ１１ａ，１１ｂ，１１ｃより低くしても、係合突起１２は充分にキートップ１３ａに係止することになる。
【００２８】
例えば、装置本体１に対する第２トレイ８と操作部６との角度が同じであるとすると、係合突起１２を用紙案内用リブ１１ａ，１１ｂ，１１ｃと略同じ高さにしないと、係合突起１２はキートップ１３ａに引っ掛からない。しかし、係合突起１２を用紙案内用リブ１１ａ，１１ｂ，１１ｃと同じ高さにすると、排出された用紙の先端が係合突起１２に当接しやすくなり、スタック不良を発生させるおそれが生じる。
【００２９】
第２実施形態の構成によれば、係合突起１２を確実にキートップ１３ａに係止させることができると共に、係合突起１２が排紙に影響しないようにすることができる。
【００３０】
なお、前記実施形態において、排紙トレイ５の収納状態では排紙トレイ５が操作部６を覆ってしまい、使用者が操作部６および表示部１４の状態（例えば受信中，記録紙のジャム発生などの表示）を容易に視認することができないという不具合を回避するため、排紙トレイ５全体、あるいは少なくとも操作部６および表示部１４の上方における第２トレイ８，あるいは、その一部を透明材によって形成することが望ましい。
【００３１】
図７は本発明の第３実施形態を説明するための要部を断面した側面図であり、第３実施形態では、操作部６に、用紙が無いなどの動作状態、あるいは異常な設定状態などを表示するランプ，ＬＥＤ、あるいはＬＣＤなどからなる状態表示部２０が備えられたものにおいて、状態表示部２０の上方の排紙トレイ５、本例では第２トレイ８に透孔２１を形成し、排紙トレイ５の収納状態であっても、操作者が外部から状態表示部２０の表示を視認できるようにしている。
【００３２】
このように透孔２１を形成することによって、排紙トレイ５を透明材によって形成しなくても状態の確認を容易に行うことができる。
【００３３】
なお前記実施形態は、前記排紙トレイ以外にも、原稿搬送通路における原稿排出部のトレイ、あるいはその他の用紙を受けるトレイにも適用することが可能である。
【００３４】
【発明の効果】
以上説明したように、本発明のトレイ装置によれば、不使用時にはトレイを、操作部を覆う状態で機器本体の上面に保持することができ、使用する際にはトレイを、操作部を覆う位置から覆わない位置に回動させることができるため、トレイ収納スペースの省スペース化を図ることができ、しかも使用時の不具合を生じさせることもない。
また、操作者が操作部を見やすいように操作部を装置本体（機器本体）に傾斜して設けて操作性を向上させた機器においても、トレイの係止突起をキートップに係止することによって、トレイが装置本体の側部から操作部に沿って覆うようにトレイを折り曲げた簡潔な状態にして保持することができる。
また、前記係合突起を形成しても用紙案内用リブによる用紙の搬送案内が良好に行われるようにすることができる。
【００３５】
また、トレイの折り曲げ収納時に、トレイの一部がキートップに当接して誤操作を引き起こすことを防止することができ、さらにトレイの折り曲げ収納状態において、操作者が操作部，状態表示部を視認しずらいという不具合を解消することができる。
【図面の簡単な説明】
【図１】本発明の第１実施形態を説明するためのファクシミリ装置の要部を断面した側面図
【図２】本発明の第１実施形態のファクシミリ装置の平面図
【図３】本発明の第１実施形態における排紙トレイの収納状態を示す要部を断面した側面図
【図４】本発明の第１実施形態における排紙トレイの収納状態を示す要部の平面図
【図５】本発明の第１実施形態における係合突起の設置構成の説明図
【図６】本発明の第２実施形態を説明するための要部を示す側面図
【図７】本発明の第３実施形態を説明するための要部を断面して示す側面図
【符号の説明】
１  装置本体
４  用紙搬送路
４ａ  用紙排出口
５  排紙トレイ
６  操作部
６ａ  操作面
７  第１トレイ
８  第２トレイ
９，１０  軸部
１１ａ，１１ｂ，１１ｃ  用紙案内用リブ
１２  係合突起
１３  キー群
１３ａ  キートップ
１４  表示部
２０  状態表示部
２１  透孔
【図１】
0003697376.tif 000002
【図２】
0003697376.tif 000003
【図３】
0003697376.tif 000004
【図４】
0003697376.tif 000005
【図５】
0003697376.tif 000006
【図６】
0003697376.tif 000007
【図７】
0003697376.tif 000008